(57)【要約】【課題】本発明は、作業員による横引き作業を必要とせずに、ブラケットの解体が可能となるＰＣ橋梁の柱頭部ブロック構築工事におけるブラケットの吊り出し装置を提供することを目的とするものである。【解決手段】本発明は、吊り出し装置１は、Ｈ型鋼材をボルト・ナットなどの締結部材より組立て形成されるものであり、水平支持部２の上面をその長手方向に沿って移動可能とした吊り環３と、前記水平支持部２の一端に垂下される垂直支持部４と、この垂直支持部４の下端に設けられるブラケット接合部５とから構成されるものである。【選択図】        図１
2004324195.tif 000002
【特許請求の範囲】
【請求項１】
ＰＣ橋梁の柱頭部ブロックを構築するために、下部橋脚に取付けられたブラケットを吊り出す装置において、
その上部に所要数の吊り環が配設される水平支持部と、
該水平支持部の一端に垂下される垂直支持部と、
該垂直支持部の下端に装着されるブラケット接合部とを備える
ことを特徴とするＰＣ橋梁の柱頭部ブロック構築工事におけるブラケットの吊り出し装置。
【請求項２】
前記吊り環の位置を移動可能とした
ことを特徴とする請求項１に記載のＰＣ橋梁の柱頭部ブロック構築工事におけるブラケットの吊り出し装置。
【請求項３】
前記ブラケット接合部を着脱自在とした
ことを特徴とする請求項１または２記載のＰＣ橋梁の柱頭部ブロック構築工事におけるブラケットの吊り出し装置。
【発明の詳細な説明】
【０００１】
【発明の属する技術分野】
本発明は、ＰＣ橋梁の柱頭部ブロック構築工事におけるブラケットの吊り出し方法およびブラケットの吊り出し装置に関する。詳しくはＰＣ橋梁の柱頭部ブロック構築工事におけるブラケットの吊り出し装置に係るものである。
【０００２】
【従来の技術】
橋梁の施工においては、工事用吊り場が橋桁側面に架設される。この種の吊り足場として図１０に示すような発明がある。この吊り足場１０１は、一対の吊下げ枠１０２と、吊下げ枠１０２の横桟１０３に支持される足場板１０４とから構成される。足場板１０４は桁方向の分割線（Ｃ）に沿って屈曲板１０５および支承板１０６に分割され、屈曲板１０５および支承板１０６を枢動可能に連結する枢動手段１０７によって相互連結される。屈曲板１０５は、支承板１０６に対して屈曲し、支承板１０６に重なる。支承板１０６は、可動連結機構１０７を介して、横桟１０３に連結され、連結機構は、分割線と平行な軸線１０８を中心に支承板１０６を枢動可能に支持する支承手段１０９を備える（例えば、特許文献１参照。）。
【０００３】
【特許文献１】
特開２００２−３６４１６９号公報（要約書、第１図参照。）
【０００４】
【発明が解決しようとする課題】
そして前記構成の足場を基点として、ＰＣ橋梁の柱頭部ブロック構築の施工においては、図１１に示すように柱頭部ブロック１１０を構築するために、柱頭部ブロック構築の計画位置の下部橋脚１１１に、Ｈ型鋼などによって組立てられたブラケット１１２を取り付け、その上で柱頭部ブロック１１０を構築し、完成後ブラケット１１２を解体するという工法が採用されている。
【０００５】
そこで前記ブラケット１１２を解体するには、図１１および図１２に示すように、上部よりクレーン１１３を用いてブラケット１１２を無理に吊上げ、ブラケット１１２自体に控えロープ１１４を取り付け、作業員１１５により横引き作業などを行いながら解体しているのが現状である。
【０００６】
しかしながら前記解体作業では、ブラケットを無理に斜吊りするために、ブラケット取付け部のボルトの取外し作業の際に急にブラケットが外れて作業員がはねられたり、または挟まれたりする等の事故が発生している。
【０００７】
また、ブラケットの重心位置が直に吊れないため、解体されたブラケットのバランスが崩れて落下等の事故が生じている。更にブラケットを無理に引き出すため、急な動きが生じ、作業員がはねられたり、弾みで完成した柱頭部ブロックに当たるなどの人身事故が発生している。従って解体作業は、玉掛け位置、控えロープの取り方、玉掛け方法などの高度な知識や経験が要求されるために熟練した作業員が必要とされる。
【０００８】
本発明は、以上の点に鑑みて創案されたものであって、作業員による横引き作業を必要とせずに、ブラケットの解体が可能となるＰＣ橋梁の柱頭部ブロック構築工事におけるブラケットの吊り出し装置を提供することを目的とするものである。
【０００９】
【課題を解決するための手段】
上記の目的を達成するために、本発明に係るＰＣ橋梁の柱頭部ブロック構築工事におけるブラケットの吊り出し装置は、ＰＣ橋梁の柱頭部ブロックを構築するために、下部橋脚に取付けられたブラケットを吊り出す装置において、その上部に所要数の吊り環が配設される水平支持部と、該水平支持部の一端に垂下される垂直支持部と、該垂直支持部の下端に装着されるブラケット接合部とを備える。
【００１０】
ここで、ＰＣ橋梁の柱頭部ブロックの構築後にブラケットを解体する場合において、水平支持部をクレーンによって吊上げた状態で柱頭部ブロックの端部より垂直支持部を垂下させる。そして垂直支持部の下端に設けられるブラケット接合部によってブラケット上部を連結し、クレーンによる吊り位置があらかじめ算定しておいた吊り出し装置とブラケットの合成重心位置となるように調整した状態でブラケットを吊上げて水平方向へ移動させることで柱頭部ブロックの下部より吊り出すことが可能となる。
【００１１】
【発明の実施の形態】
以下、本発明の実施の形態を図面を参酌しながら説明し、本発明の理解に供する。
【００１２】
図１に、本発明を適用したＰＣ橋梁の柱頭部ブロック構築工事におけるブラケットの吊り出し装置の一例を説明するための斜視図を示す。ここで示す吊り出し装置１は、Ｈ型鋼材をボルト・ナットなどの締結部材より組立て形成されるものであり、水平支持部２の上面をその長手方向に沿って移動可能とした吊り環３と、前記水平支持部２の一端に垂下される垂直支持部４と、この垂直支持部４の下端に設けられるブラケット接合部５とから構成されるものである。
【００１３】
ここで、前記吊り環３は吊りの荷重に応じて大きさを決定するものであり、この吊り環３と水平支持部２との接合は、複数個の締め付け金具６にて締め付け接合する。この締め付け金具６は図２に示すように、吊り環３の基板７と水平支持部２の鋼板８とを重ねた状態で挿入できる間隔を設けて形成される湾曲部９の開口端に向けてそれぞれ棒ネジ１０が内蔵され、この互いに向き合う棒ネジ１０を閉め付けることで前記吊り環３の基板７と水平支持部２の鋼板８とを重ねた状態で締め付け接合できると共に、棒ネジ１０を緩めることで吊り環３を任意の位置に自在に移動することが可能となる。
【００１４】
また、垂直支持部４は水平支持部２の一端に直角状にボルト・ナット１１によって剛接合される。この垂直支持部４の長さはＰＣ橋梁の柱頭部ブロック（図示せず。）の上部より下部橋脚に取付けられたブラケット（図示せず。）の上部位置長さとする。
【００１５】
さらにブラケット接合部５は、垂直支持部４の下端に水平支持部２方向へ平行状にボルト・ナット１１によって剛接合されるものである。このブラケット接合部５はブラケット（図示せず。）に接合する場合には図１に示す長さで充分であるが、図５に示すように下部橋脚１２面に取付けられるブラケット取付鋼材１３を吊上げる場合には、柱頭部ブロック１４の端部より前記ブラケット取付鋼材１３位置までの長さのブラケット接合部５に自在に取り替えて接合できる構成とするものである。
【００１６】
ここで吊り出し装置を構成する水平支持部および垂直支持部並びにブラケット接合部は必ずしもＨ型鋼材で形成する必要性は無く、ブラケット重量および吊り出し装置自重等を考慮し、充分にその使用に耐え得る材質のものであればいかなる材質のものであっても良いが吊り環などの取り付けあるいは取外しが容易に行える例えばＨ型鋼やＩ型鋼を用いることが望ましい。
【００１７】
また、締め付け金具は必ずしも図２に示した構成とする必要性は無く、ブラケット重量および吊り出し装置自重等に充分に耐え得る材質および機構のものであればいかなるものであっても良い。
【００１８】
なお、水平支持部と垂直支持部との接合は必ずしもボルト・ナットによる必要性は無く、吊り荷重に応じて溶接接合であっても良い。
【００１９】
以上の構成より成る本発明では図３〜図５に示すように、吊り出し装置１の水平支持部２上面に配置される吊り環３に装着される玉掛けワイヤーロープ１５をクレーン１６によって吊り上げる。
【００２０】
そしてクレーン１６によってＰＣ橋梁の柱頭部ブロック１４下部の下部橋脚１２に取付けられるブラケット１７上に前記クレーン１６によって吊り揚げられた吊り出し装置１のブラケット接合部５が位置するように移動させる。
【００２１】
次にクレーン１６を誘導して吊り出し装置１をゆっくりと吊り降ろしてブラケット１７上にブラケット接合部５を複数個の締め付け金具６によって一体的に接合する。さらにクレーン１６をゆっくりと巻き下げて吊り環３の締め付け金具６を緩め、予め算定された吊り出し装置とブラケットとの合成重量による合成重心位置となるまで吊り環３を移動する。
【００２２】
そこで吊り環３の移動調整が完了したら吊り環３を再び締め付け金具６にて締め付けクレーン１６をゆっくりと巻き上げる。そして玉掛けワイヤーロープ１５が適度に張った時点でクレーン１６の巻き上げを止める。
【００２３】
次に下部橋脚１２に取付けられるブラケット取付鋼材１３とブラケット１７との接合部１８を取外す。従ってブラケット１７とブラケット取付鋼材１３との接合が解除された状態となる。
【００２４】
ここで、クレーン１６をゆっくりと巻き上げ、ブラケット１７とブラケット取付鋼材１３とを切り離す。この時ブラケット１７と吊り出し装置１は、その合成重心位置によって吊り上げられているために、左右に傾いたり急なブレを生じることなくそのままの状態でスムーズに吊ることが可能となり、クレーン１６によって吊り出し装置１を柱頭部ブロック１４外へ移動し、ブラケット１７を所定の位置まで吊り降ろすことができる。
【００２５】
次に図６および図７に示すように、ブラケット１７の吊り出しが完了した後にブラケットを吊り出すために使用したブレケット接合部を取外し、ブラケット取付鋼材１３を吊り出すための長さを有するブラケット接合部５を垂直支持部４の下端に取付ける。
【００２６】
そして前記ブラケット接合部５の先端にチェーンブロック１８を取付け、クレーン１６によってブラケット取付鋼材１３の真上にチェーンブロック１８が位置するまで移動させてブラケット取付鋼材１３の上端にチェーンブロック１８を取付ける。さらに、吊り環３の締め付け金具６を緩め、予め算定された吊り出し装置とブラケット取付鋼材との合成重量による合成重心位置となるまで吊り環３を移動する。
【００２７】
そこで吊り環３の移動調整が完了したら吊り環３を再び締め付け金具６にて締め付け、クレーン１６をゆっくりと巻き上げる。そして玉掛けワイヤーロープ１５が適度に張った時点でクレーン１６の巻き上げを止める。
【００２８】
そこで前記ブラケット取付鋼材１３を下部橋脚１２からＰＣ鋼線とジャッキとの組み合わせによる接合から解除することでブラケット取付鋼材１３はチェーンブロック１８によって吊り上げられた状態となり、この状態からクレーン１６によって吊り出し装置１を柱頭部ブロック１４外へ移動し、ブラケット取付鋼材１３を所定の位置まで吊り降ろすことができる。
【００２９】
また、図８および図９は本発明の他の適用例を示す説明図であり、例えば高架橋の柱頭部ブロック間に掛け渡す桁構造物１９下の支保工２０上に設置される構造物直下の鋼材２１の吊り出しに際しては、水平支持部２およびブラケット接合部５を吊り荷重の変化に対応した長さおよび強度のものに取り替える。
【００３０】
そしてクレーン１６を誘導して吊り出し装置１をゆっくりと吊り降ろして鋼材２１上にブラケット接合部５を複数個の締め付け金具６によって一体的に接合する。さらにクレーン１６をゆっくりと巻き下げて吊り環３の締め付け金具６を緩め、予め算定された吊り出し装置と鋼材との合成重量による合成重心位置となるまで吊り環３を移動する。
【００３１】
そこで吊り環３の移動調整が完了したら吊り環３を再び締め付け金具６にて締め付け、クレーン１６をゆっくりと巻き上げる。そして玉掛けワイヤーロープ１５が適度に張った時点でクレーン１６の巻き上げを止める。
【００３２】
次に支保工２０上に設置される構造物直下の鋼材２１と支保工２０との接合を解除し、
クレーン１６をゆっくりと巻き上げる。この時鋼材２１と吊り出し装置１は、その合成重心位置によって吊り上げられているために、左右に傾く、あるいは急なブレを生じることなくそのままの状態でスムーズに吊ることが可能となり、クレーン１６によって吊り出し装置１を柱頭部ブロック１４外へ移動し、鋼材２１を所定の位置まで吊り降ろすことができる。
【００３３】
本発明では、吊り出し装置が水平支持部および垂直支持部並びにブラケット接合部との組み合わせにより構成されているために、構築された柱頭部ブロック上より柱頭部ブロック下のブラケットとの接合が可能となる。そしてクレーンにより吊り出し装置とブラケットとを吊り上げる場合に、予め算定された吊り出し装置とブラケットとの合成重心位置に玉掛けワイヤーロープの吊り位置がくるように、吊り環の位置を移動する。
【００３４】
これによりブラケットの切り離しの際に傾きや、左右への急激なブレを生じることなく柱頭部ブロック下からブラケットを吊り出すことが可能となる。
【００３５】
【発明の効果】
以上述べて来た如く本発明によれば、柱頭部ブロック構築後のブラケットの吊り出しが、吊り出し装置を介して行うことにより煩雑な作業を要することなく行うことが可能となり、更にブラケットと吊り出し装置との合成重心位置を確実に吊りことにより安定した吊り出しが可能となり、従来のように切り離し時のブラケットの傾きや、急激なブレによる事故を防止することが可能となる。
また、作業工程が簡素化され、かつ容易となるために熟練した技能力を必要とせず、作業効率を向上させることが可能となる。
【図面の簡単な説明】
【図１】本発明を適用したＰＣ橋梁の柱頭部ブロック構築工事におけるブラケットの吊り出し装置の一例を説明するための斜視図である。
【図２】本発明を適用したＰＣ橋梁の柱頭部ブロック構築工事におけるブラケットの吊り出し装置における締め付け金具の一例を示す説明図である。
【図３】本発明の吊り出し装置によるブラケットとの接合状態を示す斜視図である。
【図４】本発明の吊り出し装置によるブラケットの吊り出し作業におけるブラケットへの取り付け状態を示す説明図である。
【図５】本発明の吊り出し装置によるブラケットの吊り出し作業におけるブラケットの吊り出し状態を示す説明図である。
【図６】本発明の吊り出し装置によるブラケット取付鋼材の吊り出し作業におけるブラケット取付鋼材への取り付け状態を示す説明図である。
【図７】本発明の吊り出し装置によるブラケット取付鋼材の吊り出し作業におけるブラケット取付鋼材の吊り出し状態を示す説明図である。
【図８】本発明の吊り出し装置による他の鋼材の吊り出し作業における鋼材への取付け状態を示す説明図である。
【図９】本発明の吊り出し装置による他の鋼材の吊り出し状態を示す説明図である。
【図１０】従来の橋梁工事の吊り足場の一例を示す説明図である。
【図１１】従来のブラケットの解体作業の一例を示す説明図である。
【図１２】図１１においてブラケットを吊り上げた状態を示す説明図である。
【符号の説明】
１      吊り出し装置
２      水平支持部
３      吊り環
４      垂直支持部
５      ブラケット接合部
６      締め付け金具
７      基板
８      鋼板
９      湾曲板
１０    棒ネジ
１１    ボルト・ナット
１２    橋脚
１３    ブラケット取付鋼材
１４    柱頭部
１５    ワイヤーロープ
１６    クレーン
１７    ブラケット
１８    チェーンブロック
１９    桁構造部
２０    支保工
２１    鋼材
【図１】
2004324195.tif 000003
【図２】
2004324195.tif 000004
【図３】
2004324195.tif 000005
【図４】
2004324195.tif 000006
【図５】
2004324195.tif 000007
【図６】
2004324195.tif 000008
【図７】
2004324195.tif 000009
【図８】
2004324195.tif 000010
【図９】
2004324195.tif 000011
【図１０】
2004324195.tif 000012
【図１１】
2004324195.tif 000013
【図１２】
2004324195.tif 000014